(57)【要約】【課題】多色発光機能を備えた表示装置において、高いデータ圧縮効率を備えながら、表示処理の効率に優れた表示装置を提供する。【解決手段】表示装置２と表示データ編集装置１とを備えた電光表示システムであって、表示データを作成する際の素材となる原画データの中から色の種類と色数を色情報検出部１６ｂで検出し、検出した色の数に応じて、表示データをパレット表示データ作成部１６ｄで作成するか、あるいはＲＧＢデータ作成部１６ｅで作成するかを選択する。パレット表示データ作成部１６ｄで作成する表示データはカラーパレット方式でデータフォーマットされ、ＲＧＢデータ作成部１６ｅで作成する表示データはＲＧＢデータ方式でデータフォーマットされる。【選択図】図２
2006011099.tif 000002
【特許請求の範囲】
【請求項１】
ドットマトリクス表示画面の１ドットに少なくとも赤、緑、青のＬＥＤを備え、１ドットごとに点滅制御を可能にした表示装置と、該表示装置の表示内容を作成する表示データ編集装置とを備えた電光表示システムにおいて、
前記表示装置のドットマトリクス表示画面に表示する表示パターンとその発光色を原画データとして入力する原画入力部と、
該原画入力部において入力された原画データに含まれる発光色の種類と色数を検出する色情報検出部と、
該色情報検出部で検出した各発光色ごとに個別の色番号を付与すると共に、各発光色を得るための赤、緑、青、各色ＬＥＤの発光割合を書き込んだカラーパレットを作成するカラーパレット作成部と、
前記原画入力部において入力された原画データを基に、原画データ中の発光色に関する入力情報を前記カラーパレットで規定される色番号で表すデータフォーマットに変換し、前記表示装置で読み込み可能な表示データとするパレット表示データ作成部と、
前記原画入力部において入力された原画データを基に、原画データ中の発光色に関する入力情報を前記表示装置の１ドットごとに赤、緑、青、各色ＬＥＤの発光割合で表すデータフォーマットに変換し、前記表示装置で読み込み可能な表示データとするＲＧＢ表示データ作成部と、を前記表示データ編集装置に備え、
原画入力部から入力された原画データを基に表示データを作成する際に、色情報検出部で検出した原画データ中の発光色数に応じてパレット表示データ作成部あるいはＲＧＢ表示データ作成部の何れか一方を選択することを特徴とする電光表示システム。
【請求項２】
請求項１記載の電光表示システムにおいて、前記表示装置の１ドットに含まれる赤、緑、青のＬＥＤをそれぞれ複数段階の明るさで点滅制御することで２５６色以上の表示を可能に構成すると共に、前記カラーパレット作成部に複数種類のカラーパレットを作成する機能を備え、前記色情報検出部で検出した原画データの色数が１６色以下のとき前記パレット表示データ作成部を選択して検出した色数に応じたカラーパレットのデータフォーマットで表示データを作成し、原画データの色数が１７色以上のときＲＧＢ表示データ作成部を選択して表示データを作成することを特徴とする電光表示システム。
【発明の詳細な説明】
【技術分野】
【０００１】
本発明は、ＬＥＤ（発光ダイオード）等の発光体をプリント基板上にドットマトリクス状に配列し、各発光体を選択的に発光させることで文字、図形、記号、模様等を表示する表示装置と、この表示装置に表示する表示データを作成する表示データ編集装置とを備えた電光表示システムに関するもので、特にドットマトリクスの１ドット中に赤、緑、青各色ＬＥＤを備え、各色を複数段階の明るさで点滅制御することにより混色させて多色表示を可能にした方式のシステムに関する。
【背景技術】
【０００２】
従来、ＬＥＤをプリント基板上に複数配置し、選択的に点滅駆動することで文字・画像等を発光表示する表示装置が知られており、また、表示内容を作成する編集装置を別設し通信網や記憶メディアを介して表示装置と接続するようにした表示システムも知られている。最初の頃は赤１色や緑１色といった単色表示機能を備えるだけであったが、現在ではＬＥＤランプの多色化、性能アップに合わせてその表示機能も向上しており、同じ単色表示であっても色の選択範囲が広がり、また、フルカラー表示機能を備えた装置も特別な存在ではなくなった。
【０００３】
中でも、表示サイズで分類したときに中型以下のクラスに相当する装置において多色化の動きが目立っており、１つの画素中に光の３原色である赤、緑、青色を採用し、各色を数段階の明るさで混色することで１６色、２５６色といった、いわゆるマルチカラー表示を可能にした装置が増えている。ビルの壁面に設置されてビデオ映像を放映するような大型の表示装置では、以前から多階調制御を用いたフルカラー表示が数多く見られたが、郊外の中型店に設置されて主に文字や絵記号を表示するような中型クラスの表示装置では、これまで赤、緑の組み合わせによる３色表示がほとんどを占めていたのである。その背景には、青色ＬＥＤのコストが関係しており、表示装置のコスト全体に占める青色ＬＥＤのコストの割合が、表示装置のサイズが小さくなるほど大きくなってしまうという事情があった。しかしながら、近年、青色や白色ＬＥＤが普及を始めたことにより青色ＬＥＤの価格が以前より下がり、中型クラスの表示装置にも青色ＬＥＤを採用する動きが徐々に活発化してきたのである。
【０００４】
ところで、赤、緑、青色を用いてマルチカラー表示を行うには、扱うデータ容量や各種メモリの記憶容量を大きく確保しなければならず、赤、緑色を用いた３色表示制御と比較すると、ＶＲＡＭのデータ展開エリアやデータの処理能力を十分引き上げる必要があった。そこで、カラーパレット方式（インデックスカラー方式）を採用して１つ１つのデータ容量を小さくしたり、下記特許文献１に開示されているように、文字等のドットデータは単色として記憶し、文字色と背景色をキー操作で指定してドットデータをシリアル出力するようにした装置が提案されている。
【特許文献１】特開２００２−２０２７５７号
【発明の開示】
【発明が解決しようとする課題】
【０００５】
カラーパレット方式は、使用する色に色番号を与え、色番号で色を指定するものである。色番号と、その色番号が表す色を表現するための３原色の組み合わせをパレット（テーブル）に登録しておき、カラー画像データの各画素を色番号で表して、実際の表示を行う場合にパレットを参照して色を再現する。パレットに登録される３原色の組み合わせとは、赤（Ｒ）、緑（Ｇ）、青色（Ｂ）各発光素子をそれぞれどの程度の強さで発光させるかを指示するＲＧＢデータであり、１色あたり赤３ビット、緑３ビット、青２ビットで表す合計８ビットのデータが登録される。これに対して色番号は、２色カラーパレットであれば１ビット、４色カラーパレットであれば２ビット、８色カラーパレットであれば３ビット、１６色カラーパレットであれば４ビットでそれぞれ表現することができる。したがって、カラー画像データの各画素を８ビットのＲＧＢ情報で表す必要がなくなり、カラー画像データ全体を表すためのデータ容量を小さくすることができる。確かに、カラーパレット方式を用いるとデータの圧縮率が上がり、編集装置と表示装置との間で行われるデータの受け渡しが軽くなり、表示データを保存しておく際に要するメモリ容量も少なくなるという利点がある。しかしその反面、カラーパレット方式は表示処理を行う段階でデータ処理に時間を要するという短所がある。表示データの中身が色番号で表されていることから、データをそのままＶＲＡＭへ書き込むことができず、表示に先立ってまずカラーパレットのテーブルをワーク領域に読み出し、カラーパレットを参照して色番号をＲＧＢデータに戻しながらＶＲＡＭへ展開するため、どうしてもある程度の表示処理時間を必要とするのである。
【０００６】
また、特許文献１の方法は、確かに簡単な構成でカラー表示を行うことが可能になるが、それはあくまでも文字単位、あるいは文字の背景といった単位で色を指定するものであり、ＪＩＳ等の文字コードで指定可能なテキストパターンに限って有効なものであった。
【０００７】
本発明は上記のような問題点を解決することを課題としており、高いデータ圧縮効率を備えながら、表示処理の効率に優れた表示装置を提供することを目的としている。
【課題を解決するための手段】
【０００８】
本発明は、上記課題を解決するために、ドットマトリクス表示画面の１ドットに少なくとも赤、緑、青のＬＥＤを備え、１ドットごとに点滅制御を可能にした表示装置と、該表示装置の表示内容を作成する表示データ編集装置とを備えた電光表示システムにおいて、前記表示装置のドットマトリクス表示画面に表示する表示パターンとその発光色を原画データとして入力する原画入力部と、該原画入力部において入力された原画データに含まれる発光色の種類と色数を検出する色情報検出部と、該色情報検出部で検出した各発光色ごとに個別の色番号を付与すると共に、各発光色を得るための赤、緑、青、各色ＬＥＤのＲＧＢ発光情報を書き込んだカラーパレットを作成するカラーパレット作成部と、前記原画入力部において入力された原画データを基に、原画データ中の発光色に関する入力情報を前記カラーパレットで規定される色番号で表すデータフォーマットに変換し、前記表示装置で読み込み可能な表示データとするパレット表示データ作成部と、前記原画入力部において入力された原画データを基に、原画データ中の発光色に関する入力情報を前記表示装置の１ドットごとにＲＧＢ発光情報で表すデータフォーマットに変換し、前記表示装置で読み込み可能な表示データとするＲＧＢ表示データ作成部と、を前記表示データ編集装置に備え、原画入力部から入力された原画データを基に表示データを作成する際に、色情報検出部で検出した原画データ中の発光色数に応じてパレット表示データ作成部あるいはＲＧＢ表示データ作成部の何れか一方を選択することを特徴とする電光表示システムを提案する。
【０００９】
なお、表示装置の１ドットに含まれる赤、緑、青のＬＥＤをそれぞれ複数段階の明るさで点滅制御することで２５６色以上の表示を可能に構成すると共に、前記カラーパレット作成部に複数種類のカラーパレットを作成する機能を備え、前記色情報検出部で検出した原画データの色数が１６色以下のとき前記パレット表示データ作成部を選択して検出した色数に応じたカラーパレットのデータフォーマットで表示データを作成し、原画データの色数が１７色以上のときＲＧＢ表示データ作成部を選択して表示データを作成するのが望ましい。
【発明の効果】
【００１０】
請求項１記載の発明によれば、表示データを作成する際の素材となる原画データの中から色の種類と色数を検出し、検出した色の数に応じて、表示データをカラーパレットのデータフォーマットで作成するか、あるいはＲＧＢ発光情報のデータフォーマットで作成するかを選択する。原画データに含まれる色数が少ないほど少ないビット数で色の違いを区別することが可能であり、つまりはカラーパレットの１つ１つの色番号を少ないデータ量で表すことができるから、原画データをカラーパレット方式でデータフォーマットすることによって、フォーマット後の表示データ全体のサイズを小さくすることができる。
【００１１】
そして、原画データに含まれる色数が多くなるにしたがって色番号の数を多く用意しなければならず、個々の色番号に要するデータサイズも大きくなるため、カラーパレット方式でデータフォーマットしてもフォーマット後の表示データサイズは元の原画データサイズに対して圧縮されなくなってくる。この点に対し本発明では、原画データの色数に応じてＲＧＢ発光情報のデータフォーマットで表示データを作成する。原画データをＲＧＢ発光情報でデータフォーマットすることにより、出来上がった表示データは表示処理の際にカラーパレットを参照する必要のないものとすることができ、したがって、原画データに含まれる色数が多いときはＲＧＢ発光情報でデータフォーマットすることにより、表示装置側での表示処理にかかる負荷を軽減させることができる。
【００１２】
具体的には、赤（Ｒ）、緑（Ｇ）、青（Ｂ）を組み合わせて最大２５６色で表示可能な表示装置を備え、表示データ編集装置で表示データを作成する際に、原画データで使用している色の数が１６色以下のとき、カラーパレット方式でデータフォーマットして表示データを作成する。２色のカラーパレット、４色のカラーパレット、１６色のカラーパレットなど原画データで使用している色の数に応じて複数のカラーパレットを用意し、原画データを効率良く圧縮することができる。２色カラーパレットであれば、色番号が２種類あればよく、ドットマトリクス表示画面の１ドットを１ビットで表現できるから、８ドット分のデータを１バイトのデータサイズにすることができる。同様に、４色カラーパレットであれば表示画面の１ドットに対して２ビットを要し、８ドット分のデータを２バイトのデータサイズにすることができる。１６色カラーパレットであれば表示画面の１ドットに対して４ビットを要し、８ドット分のデータを４バイトのデータサイズにすることができる。
【００１３】
また、原画データで１７色以上の色が使用されている場合は、ＲＧＢ発光情報でデータフォーマットして表示データを作成する。このデータフォーマットでは、１ドットあたり、赤（Ｒ）３ビット、緑（Ｇ）３ビット、青（Ｂ）２ビットの合計８ビットでＲＧＢ発光情報を直接書き込んでおり、８ドット分のデータに８バイトのデータサイズを必要とするが、表示装置側でＲＧＢ発光情報を直接読み出すことができ、表示処理を高速に行うことができる。
【００１４】
以下、本発明による好適な実施形態を図面を参照しながら説明する。
【実施例】
【００１５】
図１は本発明実施例に関わる電光表示システムの全体構成を示すブロック図である。１は表示データ編集装置で、パソコンに表示データ編集用のアプリケーションプログラムをインストールして構成しており、後述する表示装置で表示動作を行うために必要な表示データや表示スケジュールデータを作成する。２は表示装置であり、以下その構成について説明する。３は表示画面で、プリント基板上に複数のＬＥＤをドットマトリクス状に配列して構成する。この表示画面には複数の文字を表示したり、マトリクス面を使ってグラフィックを表示することが可能で、図示の例では、１６×１６ドットのマトリックスで表される全角サイズの文字が横方向に３文字、縦方向に２文字、合計６文字表示可能であり、４８×３２ドットのマトリックスを構成している。１ドットは、赤色ＬＥＤ２個、緑色ＬＥＤ１個、青色ＬＥＤ１個で構成されており、ＲＧＢ各色をそれぞれ多段階の明るさで発光制御することによって、多色発光（マルチカラー表示）を可能にしている。具体的には、赤色を３ビット階調（８段階の明るさ）、緑色を３ビット階調（８段階の明るさ）、青色を２ビット階調（４段階の明るさ）で発光制御し、ＲＧＢ加色混合によって１ドットあたり２５６色の表示を可能にしている。４はコモンドライバで、表示部３にドットマトリクス配列したＬＥＤの行方向ラインを列方向にスキャンする。５はセグメントドライバで、コモンドライバ４によってスキャン駆動する行方向ラインにＬＥＤ点滅データを与える。６はメモリで、表示装置全体の動きに関する動作プログラムが記憶された制御プログラム記憶部６ａと、文字コードに置きかえられたキャラクタがドットパターンで記憶される表示用フォント記憶部６ｂと、キャラクタデータからなる文字・文章のコンテンツや、ドット情報の集まりで表現されるイメージデータからなる画像のコンテンツなどを複数記憶する表示データ記憶部６ｃと、表示データの表示タイミングを指定する表示スケジュールデータや表示装置に関する各種設定データを記憶するデータ記憶部６ｄとからなっている。表示データ記憶部６ｃに記憶する表示データには、大きく分けて「文字・文章のコンテンツ」とイメージデータからなる「画像のコンテンツ」との２種類がある。「文字・文章のコンテンツ」とは、ＪＩＳ等の文字コードで指定可能なフォントを配列して構成するデータで、ユーザーが１６×１６ドットの点の集まりで任意に作成した「外字フォント」を含めることもできる。「画像のコンテンツ」とは、任意のサイズのドットマトリクス上にユーザーが点で描いた描画イメージや、パソコンで広く使われるいわゆるイメージ画像などで構成されるデータである。
【００１６】
７はＣＰＵで、メモリ６で記憶するプログラムやデータに従い表示処理手順をこなす。８はＶＲＡＭで、表示画面３のドットマトリクス構成に対応しており、キャラクタデータ１文字分に相当する１６×１６ドットのマトリクスを基準にして、複数文字分のドットデータをＲＧＢそれぞれの発光輝度に関するデータとして展開可能な記憶領域を備えている。表示データは、フォントを表す文字コードや、イメージデータに与えられたファイル名（後述するグラフィックコード）などの配列からなるデータであり、表示画面３で表示するためには表示画面のＬＥＤ配列に対応したドット情報に変換する必要がある。そこで、前記表示用フォント記憶部６ｂから読み出したドットパターンや、ユーザーが作成した外字フォントのドットパターン、イメージデータのドットパターンをＶＲＡＭ８の記憶領域に展開するのである。このとき、表示画面３の１ドットに対してＶＲＡＭの記憶領域を８ビット分確保し、確保した記憶領域にＲＧＢ各色ＬＥＤの輝度情報が格納された後、表示制御データとして出力される。９はプログラマブルロジックデバイスで、ＶＲＡＭ８から輝度情報として出力される表示データを受け、セグメントドライバ５にＬＥＤ点滅データを出力するとともにコモンドライバ４にスキャン駆動信号を出力し、表示画面３をダイナミック表示駆動する。１０はリアルタイムクロックＩＣで、ＣＰＵから任意のタイミングで要求を受け、年・日付・曜日を出力する。１１はメモリーカードで、ＰＣカードインターフェース１１ａを介して表示装置に着脱され、表示データ編集装置１で作成した表示データや表示スケジュール、各種データをメモリ６に転送するための記憶媒体として用いられる。１２は通信インターフェースで、信号ケーブル１３を介して表示データ編集装置１に接続し、表示データ編集装置で作成した表示データや表示スケジュール、各種データをメモリ６へ転送可能にしている。また、図示しないが、通信インターフェース１２にはモデム・ターミナルアダプタ等の通信機器を接続することも可能で、商用通信回線を介して表示装置２と表示データ編集装置とを接続することもできる。
【００１７】
次に、表示データ編集装置１の構成について、図２を基に説明する。１５はパソコンであり、表示データ編集プログラム１６と、フォントキャッシュ１７と、ＥＩＡ２３２インターフェース１８と、データ入出力装置１９と、データ記憶領域２０とを備えている。表示データ編集プログラム１６は、表示装置２に表示する表示データや、そのスケジュールデータを作成するためのアプリケーションプログラムである。このプログラムを起動し、図示しないキーボードやマウスを操作することにより、表示データの新規作成、作成済み表示データの編集、新しい表示スケジュールの付与、表示スケジュール内容の変更などを行うことができる。フォントキャッシュ１７は、パソコンのＯＳ（オペレーティングシステム）にインストールされているベクタ情報のフォント（スケーラブルフォント）を、ドットイメージに変換して格納する。表示データ編集プログラム１６によって表示データを作成する際に、キーボードから文字が入力されると、入力された文字に対応する（ドットで表された）フォントイメージがフォントキャッシュ１７から出力される。ＥＩＡ２３２インターフェース１８にはレベルシフタ２１が接続され、信号ケーブル１３を介して表示装置２に接続したり、モデム・ＴＡ（図示しない）等を介して遠方に設置された表示装置に接続する。２２はＰＣカードドライブであり、ＵＳＢポート等からパソコン１５に接続され、各種データをメモリーカード１０にリード／ライト可能にしている。また、データ入出力装置１９はＣＤ−ＲＯＭドライブ・ＤＶＤドライブ等のデータ入出力装置であり、メディアを介して各種データの受け渡しを行うこともできる。
【００１８】
表示データ編集プログラム１６は以下の機能を備えている。
【００１９】
＜原画入力部１６ａ＞
表示データのうちの「外字フォント」「画像のコンテンツ」の元となるドットパターンを入力すると共に、そのドットパターンを構成する１つ１つのドットに対して色の指定を行う。パソコンのモニタに表示されたドットパターン入力画面において、マウスポインタを操作して縦横グリッド線で形成された格子に「点」（ドット）で表示パターンを描き、色を指定する。色の指定は、表示装置２で表示可能な２５６色の中から自由に選択することができ、それぞれの色は、赤（Ｒ）３ビット、緑（Ｇ）３ビット、青（Ｂ）２ビットの合計８ビットからなるＲＧＢデータ（ＲＧＢ発光情報）のデータ形式で表される。この原画入力部では、既存のイメージ画像をドットパターンとして読み込むことも可能である。読み込んだイメージ画像が２５６色を超える色情報を持つ場合は、本システムに合わせた２５６色に減色して取り込むことができる。ここで入力したドットパターンと色情報はセットで原画データとして扱われる。
【００２０】
＜色情報検出部１６ｂ＞
原画入力部で入力した原画データに対して、１つの原画データの中で使用されている色の種類と数を検出する。
【００２１】
＜カラーパレット作成部１６ｃ＞
色情報検出部で検出した「色の種類」と「色の数」に基づいてカラーパレットを作成する。ここでは、検出した色の数に応じて「２色カラーパレット」「４色カラーパレット」「１６色カラーパレット」の３種類を作成することができる。図３は１６色カラーパレットを例示したものであり、１６種類の色に０〜１５の色番号を与え、１つ１つの色番号に「色の種類」とＲＧＢデータを割り当てている。図では、色番号「０」は色種類が「白」であり、白を表現するためのＲＧＢデータとしてＲ「８」Ｇ「８」Ｂ「４」が書き込まれている。この場合のＲ「８」とは、３ビットで表す８段階の明るさのうち、赤色ＬＥＤに対して最も明るい状態を適用することを意味している。同様に、Ｇ「８」Ｂ「４」とは、緑色ＬＥＤと青色ＬＥＤを最も明るい状態で点灯させることを意味している（ちなみに、Ｂの最も明るい状態が「４」であるのは、既に説明したようにＲＧＢデータのうち青Ｂには２ビットを割り当てている為である）。図の１６色カラーパレットでは、１６種類の色番号を区別する必要があり、１種類の色番号を４ビットの情報で表現している。なお、色情報検出部で検出した色が５〜１６種類の場合は全て１６色カラーパレットを作成する。同じ様に、色情報検出部で検出した色が３〜４種類の場合は、全て４色カラーパレットを作成し、検出した色が１〜２種類の場合は、全て２色カラーパレットを作成する。
【００２２】
＜パレット表示データ作成部１６ｄ＞
原画データで使用されている色が１６色以下のとき、原画データの色に関する情報をカラーパレット作成部で作成したカラーパレットの色番号で表すデータフォーマットに変換する。原画データでの色情報は、１ドットごとに８ビットからなるＲＧＢデータ（ＲＧＢ発光情報）で記録されているが、それを１ドットごとに４ビット以下の色番号に置き換えるのである。図４の（ａ）は原画データの色情報を４色カラーパレットの色番号で表した状態を表している。縦４ドット×横４ドットのマトリクスに白・水色・オレンジ・黒の４色が使用されており、それらの色を表す２ビットの色番号０〜３をマトリクスの各ドットに配置する。次に、これを基にしてパレット表示データを作成する。図４（ｂ）に示すように、１つの表示データは、識別コードと、テキストデータ（フォントを配列した文字・文章等のデータ）と、グラフィックデータ（画像等）と、表示モードとで構成されている。例えば、表示画面３の表示面上段に「営業中」を、下段に「いらっしゃいませ」を表示させたい場合には、「営業中」と「いらっしゃいませ」のセットで１つの表示データを構成して識別コードが付与される。この場合、「営業中」と「いらっしゃいませ」は、ともにテキストデータであり、それぞれ「営」「業」「中」と「い」「ら」「っ」「し」「ゃ」「い」「ま」「せ」を表す文字コードが順番に並んで構成される。もし、ＪＩＳ第一水準、第二水準に含まれない外字を含む場合には、外字に付与した文字コードと外字を表す１文字単位の画像とをセットにして表示データ中に含める。また、ユーザーが任意に描いた描画イメージやイメージ画像により静止画やアニメーションを表示する場合には、画像にグラフィックコードを与え、グラフィックコードとその内容をセットにして表示データ中に含める。このとき、グラフィックコードが付与されて管理される内容は図４（ａ）に示すように画像情報と、さらにカラーパレット情報も含まれる。この表示データに基づいて表示装置２で表示処理を行う際に、カラーパレットをワーク領域に読み出し、そのカラーパレットを参照しながら画像情報の色番号をＲＧＢデータに戻してＶＲＡＭに展開するのである。また、表示データには、表示データの中身をどのような動きで表示するのかを指定する表示モード情報が付与される。この表示モードにより左右上下へのスクロール、表示画面単位あるいは文字単位での点滅、色替え、回転表示などの表示動作を設定することができる。
【００２３】
ところで、表示データを作成する際に外字フォントを利用することによって、テキストデータのデータ構造でありながら「画像のコンテンツ」のように表示することもできる。外字フォント１文字を１６×１６ドットのマトリクスと考えることにより、外字フォントを複数文字配列して全体として１つの画像を現出させるようにすればよい。例えば、図１の表示画面３では、４８×３２ドットのマトリクスを外字フォントが横に３文字・縦に２文字配列した面として表示することができる。そうすることにより、４８×３２ドットの画像でありながら、色情報検出部１６ｂの検出対象となる原画を１６×１６ドットにすることができる。検出対象の原画が小さなサイズ（１６×１６ドット）となることで、大きなサイズ（４８×３２ドット）の画像と比べて検出する色の数が１６色以下となる確率が高くなり、色情報をカラーパレット化しやすくなるというメリットが生まれる。すなわち、表示データ全体のサイズを小さくし易くなるという効果を得ることができる。
【００２４】
＜ＲＧＢ表示データ作成部１６ｅ＞
原画データで使用されている色が１７色〜２５６色のとき、原画データの色に関する情報をＲＧＢデータで表すフォーマットにする。すなわち、カラーパレットは作成せず、図５（ａ）に示すように原画データの色情報である８ビットのＲＧＢデータをそのまま適用する。このデータフォーマットに基づいて作成するＲＧＢ表示データは、図５（ｂ）に示すようにグラフィックコードで管理する内容にカラーパレットは含まれず、ＲＧＢデータによる画像情報のみが含まれる。このフォーマットの表示データでは、表示装置２で表示処理を行う際にカラーパレットをワーク領域に読み出して参照する手順が不要であり、画像情報の中身を直接ＶＲＡＭに展開することができる。
【００２５】
本実施例は以上のように構成されるものであるが、上記実施例に限定されることなく特許請求の範囲内で種々の実施が可能である。例えば、実施例では表示装置で表示可能な表示色を２５６色で説明しているが、１０２４色、４０９６色、１６００万色など種々の表示色数を持つ表示装置にも実施することができる。
【図面の簡単な説明】
【００２６】
【図１】本発明実施例に関わる電光表示システムの全体構成を示すブロック図である。
【図２】電光表示システムを構成する表示データ編集装置を詳しく示す説明図である。
【図３】１６色カラーパレットの一例を示す説明図である。
【図４】パレット表示データ作成部のデータフォーマットについて示した説明図である。
【図５】ＲＧＢ表示データ作成部のデータフォーマットについて示した説明図である。
【符号の説明】
【００２７】
１    表示データ編集装置
２    表示装置
３    表示画面
６    メモリ
７    ＣＰＵ
８    ＶＲＡＭ
９    ＰＬＤ
１５    パソコン
１６    表示データ編集プログラム
１６ａ    原画入力部
１６ｂ    色情報検出部
１６ｃ    カラーパレット作成部
１６ｄ    パレット表示データ作成部
１６ｅ    ＲＧＢデータ作成部
【図１】
2006011099.tif 000003
【図２】
2006011099.tif 000004
【図３】
2006011099.tif 000005
【図４】
2006011099.tif 000006
【図５】
2006011099.tif 000007